(57)【特許請求の範囲】
【請求項１】
クリップ部材が装着された輸液チューブにより薬液を送液する医療用ポンプであって、
前記クリップ部材を収容可能なクリップ収容部と、
前記クリップ収容部を被覆可能な開閉カバーと、
前記開閉カバーが開いた状態では前記輸液チューブを閉塞させ、前記開閉カバーが閉じた状態では前記輸液チューブの閉塞を解除するチューブクランプ機構と、を有し、
前記チューブクランプ機構は、
前記クリップ収容部に収容された前記クリップ部材をクランプ可能なクリップクランプ部材と、
前記開閉カバーが開いた状態で、前記クリップクランプ部材を押圧して前記クリップ部材で前記輸液チューブを閉塞させるチューブクランプ部材と、
前記開閉カバーが開いた状態で、前記チューブクランプ部材による前記クリップクランプ部材の押圧を解除して、前記クリップ部材による前記輸液チューブの閉塞を解除するチューブクランプ解除レバーと、
前記チューブクランプ解除レバーにより前記チューブクランプ部材による前記クリップクランプ部材の押圧を解除した状態で、前記クリップ収容部に対する前記クリップクランプ部材の移動を規制する移動規制機構と、を有し、
前記移動規制機構は、前記クリップクランプ部材に形成された当接部と、前記チューブクランプ解除レバーに形成されて前記当接部に当接可能な被当接部と、を有し、
前記当接部と前記被当接部とは、前記チューブクランプ解除レバーが前記チューブクランプ部材による前記クリップクランプ部材の押圧を解除した状態で、前記クリップクランプ部材が前記チューブクランプ部材に押圧される状態に向けて移動した際に、互いに当接する配置とされていることを特徴とする医療用ポンプ。
【請求項２】
請求項１に記載の医療用ポンプにおいて、
前記チューブクランプ機構は、ベース部材を有し、
前記ベース部材には、前記クリップクランプ部材、前記チューブクランプ部材および前記チューブクランプ解除レバーが、前記ベース部材の表面に沿って移動可能に支持され、
前記クリップクランプ部材が移動した際の前記当接部の移動軌跡と、前記チューブクランプ解除レバーが移動した際の前記被当接部の移動軌跡とが、互いに交差して配置され、
前記被当接部は、前記チューブクランプ解除レバーが前記チューブクランプ部材による前記クリップクランプ部材の押圧を解除した状態にあるとき、前記当接部の移動軌跡上に配置されることを特徴とする医療用ポンプ。
【請求項３】
請求項２に記載の医療用ポンプにおいて、
前記ベース部材は、第１表面および第２表面を有する板状とされ、
前記クリップクランプ部材は、前記第１表面に沿って回動自在に支持され、
前記チューブクランプ部材および前記チューブクランプ解除レバーは、前記第２表面に沿って回動自在に支持され、
前記ベース部材には、前記当接部の移動軌跡および前記被当接部の移動軌跡を囲む輪郭の当接用開口が形成され、
前記当接部は、前記クリップクランプ部材から突起して前記当接用開口の内部まで延びており、
前記被当接部は、前記チューブクランプ解除レバーから突起して前記当接用開口の内部まで延びており、
前記当接部および前記被当接部は、前記当接用開口の内部で互いに当接可能であることを特徴とする医療用ポンプ。
【請求項４】
クリップ部材が装着された輸液チューブにより薬液を送液する医療用ポンプであって、
前記クリップ部材を収容可能なクリップ収容部と、
前記クリップ収容部を被覆可能な開閉カバーと、
前記開閉カバーが開いた状態では前記輸液チューブを閉塞させ、前記開閉カバーが閉じた状態では前記輸液チューブの閉塞を解除するチューブクランプ機構と、を有し、
前記チューブクランプ機構は、
前記クリップ収容部に収容された前記クリップ部材をクランプ可能なクリップクランプ部材と、
前記開閉カバーが開いた状態で、前記クリップクランプ部材を押圧して前記クリップ部材で前記輸液チューブを閉塞させるチューブクランプ部材と、
前記開閉カバーが開いた状態で、前記チューブクランプ部材による前記クリップクランプ部材の押圧を解除して、前記クリップ部材による前記輸液チューブの閉塞を解除するチューブクランプ解除レバーと、
前記チューブクランプ解除レバーにより前記チューブクランプ部材による前記クリップクランプ部材の押圧を解除した状態で、前記クリップ収容部に対する前記クリップクランプ部材の移動を規制する移動規制機構と、を有し、
前記クリップクランプ部材は、前記チューブクランプ部材で押圧されかつ前記移動規制機構で移動を規制される基部と、前記基部に移動可能に接続されかつ前記クリップ収容部に露出された可動部と、を有することを特徴とする医療用ポンプ。
【発明の詳細な説明】
【技術分野】
【０００１】
本発明は、医療用ポンプに関する。
【背景技術】
【０００２】
医療現場において、輸液チューブ内の薬液を送液する医療用ポンプが利用されている。
輸液チューブおよび医療用ポンプにおいては、患者へ薬液が誤って送液される事態はあってはならない。このため、輸液チューブおよび医療用ポンプには、誤送液を避けるための対策が幾重にもなされている。
【０００３】
輸液チューブには、通常はチューブを閉塞させるクリップ部材が装着される。クリップ部材は、医療用ポンプに装着した状態でのみ解除される。
医療用ポンプには、クリップクランプ部材、チューブクランプ部材およびチューブクランプ解除レバーを有するチューブクランプ機構が設置される。クリップクランプ部材は、輸液チューブに装着されたクリップ部材をクランプし、開閉カバーが開いた状態では輸液チューブを閉塞させ、開閉カバーが閉じた状態では輸液チューブの閉塞が解除される（特許文献１参照）。
【先行技術文献】
【特許文献】
【０００４】
【特許文献１】国際公開ＷＯ２０１３／１４５０６０号
【発明の概要】
【発明が解決しようとする課題】
【０００５】
前述した医療用ポンプでは、操作性の向上のために、クリップクランプ部材の押圧・解除の操作力を軽めに設定される。また、チューブクランプ部材は、安全性の向上のため、押圧状態に向けてばね等で常時付勢される構成とされる。
このような医療用ポンプにおいて、クリップクランプ部材を誤って操作等した場合、クリップクランプ部材を押圧していたチューブクランプ部材までが移動され、解除状態にあるチューブクランプ部材が、再び押圧状態に戻ってしまうことがある。
このような場合、医療用ポンプを操作する作業者は、再びチューブクランプ部材の押圧を解除する操作を行わなくてはならず、作業性を低下させる原因となっていた。
【０００６】
本発明の目的は、輸液チューブの装着時の作業性が良好な医療用ポンプを提供することにある。
【課題を解決するための手段】
【０００７】
本発明の医療用ポンプは、クリップ部材が装着された輸液チューブにより薬液を送液する医療用ポンプであって、前記クリップ部材を収容可能なクリップ収容部と、前記クリップ収容部を被覆可能な開閉カバーと、前記開閉カバーが開いた状態では前記輸液チューブを閉塞させ、前記開閉カバーが閉じた状態では前記輸液チューブの閉塞を解除するチューブクランプ機構と、を有し、前記チューブクランプ機構は、前記クリップ収容部に収容された前記クリップ部材をクランプ可能なクリップクランプ部材と、前記開閉カバーが開いた状態で、前記クリップクランプ部材を押圧して前記クリップ部材で前記輸液チューブを閉塞させるチューブクランプ部材と、前記開閉カバーが開いた状態で、前記チューブクランプ部材による前記クリップクランプ部材の押圧を解除して、前記クリップ部材による前記輸液チューブの閉塞を解除するチューブクランプ解除レバーと、前記チューブクランプ解除レバーにより前記チューブクランプ部材による前記クリップクランプ部材の押圧を解除した状態で、前記クリップ収容部に対する前記クリップクランプ部材の移動を規制する移動規制機構と、を有することを特徴とする。
【０００８】
本発明の医療用ポンプにおいて、前記移動規制機構は、前記クリップクランプ部材に形成された当接部と、前記チューブクランプ解除レバーに形成されて前記当接部に当接可能な被当接部と、を有し、前記当接部と前記被当接部とは、前記チューブクランプ解除レバーが前記チューブクランプ部材による前記クリップクランプ部材の押圧を解除した状態で、前記クリップクランプ部材が前記チューブクランプ部材に押圧される状態に向けて移動した際に、互いに当接する配置とされていることが好ましい。
【０００９】
本発明の医療用ポンプにおいて、前記チューブクランプ機構は、ベース部材を有し、前記ベース部材には、前記クリップクランプ部材、前記チューブクランプ部材および前記チューブクランプ解除レバーが、前記ベース部材の表面に沿って移動可能に支持され、前記クリップクランプ部材が移動した際の前記当接部の移動軌跡と、前記チューブクランプ解除レバーが移動した際の前記被当接部の移動軌跡とが、互いに交差して配置され、前記被当接部は、前記チューブクランプ解除レバーが前記チューブクランプ部材による前記クリップクランプ部材の押圧を解除した状態にあるとき、前記当接部の移動軌跡上に配置されることが好ましい。
【００１０】
本発明の医療用ポンプにおいて、前記ベース部材は、第１表面および第２表面を有する板状とされ、前記クリップクランプ部材は、前記第１表面に沿って回動自在に支持され、前記チューブクランプ部材および前記チューブクランプ解除レバーは、前記第２表面に沿って回動自在に支持され、前記ベース部材には、前記当接部の移動軌跡および前記被当接部の移動軌跡を囲む輪郭の当接用開口が形成され、前記当接部は、前記クリップクランプ部材から突起して前記当接用開口の内部まで延びており、前記被当接部は、前記チューブクランプ解除レバーから突起して前記当接用開口の内部まで延びており、前記当接部および前記被当接部は、前記当接用開口の内部で互いに当接可能であることが好ましい。
【００１１】
本発明の医療用ポンプにおいて、前記クリップクランプ部材は、前記チューブクランプ部材で押圧されかつ前記移動規制機構で移動を規制される基部と、前記基部に移動可能に接続されかつ前記クリップ収容部に露出された可動部と、を有することが好ましい。
【発明の効果】
【００１２】
本発明の医療用ポンプによれば、チューブクランプ解除レバーによりチューブクランプ部材によるクリップクランプ部材の押圧が解除された状態において、クリップ収容部に対するクリップクランプ部材の移動が、移動規制機構により規制される。
このため、クリップクランプ部材に誤操作等があっても、移動規制機構によりクリップクランプ部材の移動が規制されるので、チューブクランプ部材が押圧解除状態から押圧状態へと不必要に戻ってしまうことを防止できる。
従って、医療用ポンプを操作する作業者が、再びチューブクランプ部材を解除する操作が必要なくなり、輸液チューブの装着時の作業性を低下させることを防止できる。
【図面の簡単な説明】
【００１３】
【図１】本発明の一実施形態の全体を示す斜視図。
【図２】前記実施形態のドア開状態を示す斜視図。
【図３】前記実施形態のチューブクランプ機構の組立状態を示す下面図。
【図４】前記実施形態のチューブクランプ機構の組立状態を示す斜視図。
【図５】前記実施形態のチューブクランプ機構の各部材を示す第２表面側から見た分解斜視図。
【図６】前記実施形態のチューブクランプ機構の各部材を示す第１表面側から見た分解斜視図。
【図７】前記実施形態のチューブクランプ解除レバーおよびチューブクランプ部材の移動状態を示す図。
【図８】前記実施形態のチューブクランプ解除レバーおよびクリップクランプ部材の移動状態を示す図。
【発明を実施するための形態】
【００１４】
以下、本発明の一実施形態を図面に基づいて説明する。
〔医療用ポンプ１〕
図１および図２において、医療用ポンプ１は、装着された輸液チューブ２内の薬液を送液する装置である。
医療用ポンプ１は、箱状の本体１０と、その前面を覆う開閉式のドア２０とを有する。
ドア２０は、ヒンジ部２１を介して本体１０に接続されている。ドア２０は、ヒンジ部２１の回動軸線２２を中心に、閉状態（図１に示す状態）から開状態（図２に示す状態）まで回動可能である。
ドア２０の表面には、開閉操作用のレバー３、操作部４および表示部５が設置されている。
【００１５】
本体１０は、図２に示すように、ドア２０で覆われる前面が被覆面１１とされている。
被覆面１１は、略垂直な平面であるが、僅かな角度（例えば垂直方向に対して６．５度）で上向きに傾斜されている。
被覆面１１には、輸液チューブ２を保持する保持部１２、輸液チューブ２を外部から押圧して薬液を圧送するポンプ部１３、輸液チューブ２をクランプするチューブクランプ部１４、輸液チューブ２に装着されているクリップ部材６（図２参照）を収容するクリップクランプ部１５が設置されている。
【００１６】
チューブクランプ部１４およびクリップクランプ部１５は、本体１０に収容されたチューブクランプ機構３０の一部として構成されている。
チューブクランプ機構３０は、ドア２０が開いた状態では輸液チューブ２を閉塞させ、ドア２０が閉じた状態では輸液チューブ２の閉塞を解除する機能を有する。
【００１７】
〔チューブクランプ機構３０〕
図３および図４に示すように、チューブクランプ機構３０は、折板材で形成されたベース部材３１を有する。ベース部材３１は、その表裏が第１表面３１１および第２表面３１２とされている。
ベース部材３１の第１表面３１１には、クリップクランプ部材３２が配置されている。
ベース部材３１の第２表面３１２には、チューブクランプ部材３３およびチューブクランプ解除レバー３４が配置されている。
【００１８】
図５および図６にも示すように、クリップクランプ部材３２、チューブクランプ部材３３、チューブクランプ解除レバー３４は、それぞれ軸部材３２３，３３３，３４３により、ベース部材３１に回動自在に支持されている。
【００１９】
〔クリップクランプ部材３２〕
クリップクランプ部材３２は、ベース部材３１の第１表面３１１に設置され、クリップクランプ部１５に収容されたクリップ部材６をクランプするものである。
クリップクランプ部材３２は、基部３２１と、可動部３２２とで構成されている。
【００２０】
基部３２１は、略Ｌ字状に形成された合成樹脂成形品であり、一端に軸部材３２３が挿通されている。軸部材３２３は、ベース部材３１の第１表面３１１に固定されている。基部３２１は、この軸部材３２３を軸として、ベース部材３１に対して回動可能である。基部３２１は、図示しないばね部材により、ベース部材３１に対して図３で時計回りに回動するように付勢されている。
【００２１】
可動部３２２は、一端が拡がったテーパー状に形成された合成樹脂成形品であり、幅が広い側に軸部材３２４が挿通されている。軸部材３２４は、基部３２１の中間の折れ曲がった部位に挿通されている。可動部３２２は、この軸部材３２４を軸として、基部３２１に対して回動可能である。可動部３２２と基部３２１との間には、コイル状のばね部材３２５が介装されている。このばね部材３２５により、可動部３２２は基部３２１に対して図３で時計回りに回動するように付勢されている。
【００２２】
可動部３２２には、クリップ部材６（図２参照）をクリップするためのクリップ押圧レバー３２６が形成されている。前述の通り、基部３２１はベース部材３１に対して図３で時計回りに付勢され、可動部３２２は基部３２１に対して図３で時計回りに付勢されており、クリップ押圧レバー３２６も図３で時計回りに付勢された状態にある。
【００２３】
クリップ押圧レバー３２６は、チューブクランプ機構３０を本体１０に設置した際に、クリップクランプ部１５に配置される。そして、クリップ部材６がクリップクランプ部１５に挿入された際には、クリップ部材６がクリップ押圧レバー３２６に当接し、クリップ押圧レバー３２６をその付勢力に抗して図３の反時計回りに移動させ、圧接状態を維持する。この状態で、クリップ部材６がクリップ押圧レバー３２６によりクランプされる。
これらにより、クリップクランプ部材３２は、クリップクランプ部１５に収容されたクリップ部材６をクランプすることができる。
【００２４】
〔チューブクランプ部材３３〕
チューブクランプ部材３３は、ベース部材３１の第２表面３１２に設置され、ドア２０が開いた状態で、クリップクランプ部材３２を押圧してクリップ部材６で輸液チューブ２を閉塞させるものである。
チューブクランプ部材３３は、略Ｌ字状に形成された合成樹脂成形品の本体部３３１を有する。本体部３３１の一端には軸部材３３３が挿通されている。軸部材３３３は、ベース部材３１の第２表面３１２に固定されている。本体部３３１は、この軸部材３３３を軸として、ベース部材３１に対して回動可能である。本体部３３１は、ベース部材３１との間に介装されたばね部材３３４により、ベース部材３１に対して図３で時計回りに回動するように付勢されている。
【００２５】
チューブクランプ部材３３には、クリップクランプ部材３２を押圧するためのクリップクランプ押圧レバー３３５と、チューブクランプ部１４において輸液チューブ２（図２参照）をクランプするチューブ押圧レバー３３６とが形成されている。さらに、チューブ押圧レバー３３６の先端には傾斜部３３７が形成されている。
【００２６】
クリップクランプ押圧レバー３３５は、本体部３３１の中間部から分岐し、更にベース部材３１に向けて折り曲げられている。そして、クリップクランプ押圧レバー３３５は、組立状態において、ベース部材３１の開口部３１３を通して第１表面３１１側に露出され、クリップクランプ部材３２の基部３２１の中間部分３２７に対向配置される。
このような配置により、チューブクランプ部材３３が図３の時計回り（図５の反時計回り）に回動した際には、クリップクランプ押圧レバー３３５が基部３２１の中間部分３２７を押圧し、クリップクランプ部材３２を図３の時計回りに回動させ、クリップクランプ部材３２でクリップ部材６を押圧することで、クリップ部材６を介して輸液チューブ２を閉塞させることができる。
【００２７】
チューブ押圧レバー３３６は、軸部材３３３とは反対側の本体部３３１の端部に形成されている。チューブ押圧レバー３３６は、チューブクランプ機構３０を本体１０に設置した際に、チューブクランプ部１４に配置される。そして、輸液チューブ２（図２参照）がチューブクランプ部１４に配置された際には、鋸歯状に形成された辺縁で輸液チューブ２に当接し、ばね部材３３４の付勢力により輸液チューブ２をクランプすることができる。
【００２８】
傾斜部３３７は、チューブ押圧レバー３３６の先端に形成され、ドア２０を閉じた際にドア２０の一部で押圧される。傾斜部３３７の傾斜は、ドア２０で押圧された際に、チューブクランプ部材３３が図３の反時計回りに回動するような向きとされている。
【００２９】
従って、チューブクランプ部材３３は、ドア２０が開いた状態では、クリップクランプ押圧レバー３３５でクリップクランプ部材３２を押圧し、クリップクランプ部１５のクリップ部材６で輸液チューブ２を閉塞させるとともに、チューブクランプ部１４ではチューブ押圧レバー３３６で輸液チューブ２を閉塞させる。
一方、ドア２０が閉じた際には、傾斜部３３７により、チューブクランプ部材３３が図３の反時計回りに回動され、チューブクランプ部１４およびクリップクランプ部１５での輸液チューブ２の閉塞が解除される。
【００３０】
〔チューブクランプ解除レバー３４〕
チューブクランプ解除レバー３４は、ベース部材３１の第２表面３１２に設置され、ドア２０が開いた状態で、チューブクランプ部材３３によるクリップクランプ部材３２の押圧を解除して、クリップ部材６による輸液チューブ２の閉塞を解除するものである。
チューブクランプ解除レバー３４は、略Ｌ字状に形成された合成樹脂成形品の本体部３４１を有する。本体部３４１の中間の屈曲部には軸部材３４３が挿通されている。軸部材３４３は、ベース部材３１の第２表面３１２に固定されている。本体部３４１は、この軸部材３４３を軸として、ベース部材３１に対して回動可能である。本体部３４１は、ベース部材３１との間に介装されたばね部材３４４により、ベース部材３１に対して図３で反時計回りに回動するように付勢されている。
【００３１】
チューブクランプ解除レバー３４には、一端に操作部３４６が形成されるとともに、他端に係合ローラ３４８が形成され、係合ローラ３４８と軸部材３４３との間に係止部３４９が形成されている。
操作部３４６は、本体部３４１の一端に形成され、チューブクランプ機構３０を本体１０に設置した際に、被覆面１１のチューブクランプ部１４の側方に露出される。そして、操作部３４６を使用者が操作することで、チューブクランプ解除レバー３４を、ばね部材３４４による付勢力に抗して、図３の時計回りに回動させることができる。
【００３２】
係合ローラ３４８は、本体部３４１の他端に回転自在に支持され、チューブクランプ部材３３の２連のノッチ部３３８に係合可能である。
係止部３４９は、本体部３４１の係合ローラ３４８と軸部材３４３との間に段差状に形成され、チューブクランプ部材３３に形成された被係止部３３９を係止可能である。
【００３３】
図７において、チューブクランプ解除レバー３４は通常、ばね部材３４４で付勢され、図中２点鎖線で示す状態にある。チューブクランプ部材３３は通常、ばね部材３３４で付勢され、ノッチ部３３８の図中下側のノッチに係合ローラ３４８が係合した状態で停止している。
操作部３４６を操作して、チューブクランプ解除レバー３４をばね部材３４４に抗して回動させると、チューブクランプ解除レバー３４は図７の２点鎖線の状態から実線の状態へと移動し、係止部３４９が被係止部３３９を係止した状態で停止する。移動の間に、係合ローラ３４８はノッチ部３３８の表面に転動してその中間部の突起を乗り越え、実線で示すように図中上側のノッチに係合した状態に至る。
【００３４】
実線の状態では、係合ローラ３４８によりノッチ部３３８が押圧され、チューブクランプ部材３３はばね部材３３４に抗して回動されている。この状態では、チューブ押圧レバー３３６も元の位置（２点鎖線）から実線で示すように離隔し、輸液チューブ２の押圧が解除される。また、クリップクランプ押圧レバー３３５も回動し、クリップクランプ押圧レバー３３５によるクリップクランプ部材３２の押圧が解除される。
このように、実線の状態では、チューブ押圧レバー３３６による輸液チューブ２の閉塞が解除されるとともに、チューブクランプ部材３３およびクリップクランプ部材３２を介しての、クリップ部材６による輸液チューブ２の閉塞が解除される。
【００３５】
なお、ドア２０が閉じられている状態では、チューブクランプ部材３３の傾斜部３３７への当接により、チューブクランプ部材３３が実線の状態に維持されるため、チューブクランプ解除レバー３４が通常の２点鎖線の状態でも、チューブ押圧レバー３３６およびクリップ部材６による輸液チューブ２の閉塞はともに解除される。
【００３６】
前述のように、図７の実線の状態では、チューブ押圧レバー３３６による輸液チューブ２の閉塞が解除されるとともに、チューブクランプ部材３３およびクリップクランプ部材３２を介しての、クリップ部材６による輸液チューブ２の閉塞が解除される。
しかし、図７の実線の状態において、誤操作などでクリップクランプ部材３２が回動され、この動きがクリップクランプ部材３２の中間部分３２７からクリップクランプ押圧レバー３３５を経てチューブクランプ部材３３に伝達されると、ノッチ部３３８に係合していた係合ローラ３４８が外れ、操作していないにも拘わらずチューブクランプ解除レバー３４が２点鎖線の状態に戻ってしまい、輸液チューブ２の閉塞の解除が無効化されてしまうことがある。
これに対し、本実施形態では、このような誤操作への対策として、図５、図６および図８に示すような、移動規制機構４０が設置されている。
【００３７】
〔移動規制機構４０〕
移動規制機構４０は、チューブクランプ解除レバー３４によりチューブクランプ部材３３によるクリップクランプ部材３２の押圧を解除した状態で、クリップクランプ部１５に対するクリップクランプ部材３２の移動を規制するものである。
図５および図６に示すように、移動規制機構４０は、ベース部材３１に形成された当接用開口４１と、クリップクランプ部材３２に形成された当接部４２と、チューブクランプ解除レバー３４に形成された被当接部４４と、を有する。
【００３８】
当接部４２は、クリップクランプ部材３２の基部３２１の、軸部材３２３とは反対側の端部に形成され、基部３２１からベース部材３１に向けて突出する円柱状の突起である。
当接部４２は、クリップクランプ部材３２が回動した際に、図８に示す円弧状の移動軌跡Ｌ２に沿って移動する。移動軌跡Ｌ２は、クリップクランプ部材３２の回動中心である軸部材３２３を中心とした円弧状となる。
【００３９】
被当接部４４は、チューブクランプ解除レバー３４の係止部３４９に隣接して形成され、ベース部材３１に向けて突出する角柱状の突起である。
被当接部４４は、チューブクランプ解除レバー３４が回動した際に、図８に示す円弧状の移動軌跡Ｌ４に沿って移動する。移動軌跡Ｌ４は、チューブクランプ解除レバー３４の回動中心である軸部材３４３を中心とした円弧状となる。
これらの当接部４２および被当接部４４は、クリップクランプ部材３２およびチューブクランプ解除レバー３４がベース部材３１に支持された状態では、それぞれ先端が当接用開口４１の内部に配置される。
【００４０】
当接用開口４１は、ベース部材３１に形成されて表裏を貫通する開口である。
当接用開口４１の輪郭形状は、当接部４２の移動軌跡Ｌ２および被当接部４４の移動軌跡Ｌ４を囲む輪郭とされている。
従って、クリップクランプ部材３２およびチューブクランプ解除レバー３４がそれぞれ回動した場合には、当接部４２および被当接部４４は、当接用開口４１の内側で、各々の移動軌跡Ｌ２，Ｌ４上の任意の位置へと移動可能である。
【００４１】
当接部４２の移動軌跡Ｌ２と、被当接部４４の移動軌跡Ｌ４とは、互いに交差して配置され、当接部４２と被当接部４４とは、各々の移動軌跡Ｌ２，Ｌ４の交差位置で互いに当接可能である。
当接部４２と被当接部４４とが当接する位置は、チューブクランプ解除レバー３４がチューブクランプ部材３３によるクリップクランプ部材３２の押圧を解除した状態（図７の実線の状態）で、クリップクランプ部材３２がチューブクランプ部材３３に押圧される状態に向けて移動した際に、互いに当接する位置とされている。
【００４２】
すなわち、被当接部４４は、チューブクランプ解除レバー３４がチューブクランプ部材３３によるクリップクランプ部材３２の押圧を解除した状態（図７の実線の状態）にあるとき、当接部４２の移動軌跡Ｌ２上に配置される。そして、被当接部４４は、クリップクランプ部材３２が実線の状態（通常の状態）にあるとき、当接部４２と僅かな間隔で対向する状態で、移動軌跡Ｌ４上に配置される。従って、クリップクランプ部材３２がチューブクランプ部材３３に押圧される状態に向けて移動した際に、当接部４２と被当接部４４とが互いに当接する。
【００４３】
このような移動規制機構４０により、チューブクランプ解除レバー３４によってチューブクランプ部材３３によるクリップクランプ部材３２の押圧が解除された状態（図７の実線の状態）であっても、クリップクランプ部材３２の移動が規制される。
一方、チューブクランプ解除レバー３４を戻し、チューブクランプ部材３３がクリップクランプ部材３２を押圧する状態（図７の２点鎖線の状態）とすれば、被当接部４４は当接部４２の移動軌跡Ｌ２の外へと移動するため、当接部４２が被当接部４４と当接することはなく、クリップクランプ部材３２は移動規制機構４０で移動を規制されない。
【００４４】
なお、クリップクランプ部材３２は、前述した通り、基部３２１と可動部３２２とで構成されている。そして、移動規制機構４０によるクリップクランプ部材３２の移動規制は、基部３２１に対して有効とされている。このため、可動部３２２は基部３２１に対して、ばね部材３２５に抗して回動することができ、クリップ押圧レバー３２６は図８に実線で示す状態から、２点鎖線で示す状態へと回動することができる。
【００４５】
〔本実施形態の効果〕
このような本発明によれば、以下のような効果を得ることができる。
本実施形態の医療用ポンプ１では、チューブクランプ解除レバー３４により、チューブクランプ部材３３によるクリップクランプ部材３２の押圧が解除された状態において、クリップクランプ部１５に対するクリップクランプ部材３２の基部３２１の移動が、移動規制機構４０により規制される。
このため、クリップクランプ部材３２に誤操作等があっても、移動規制機構４０によりクリップクランプ部材３２の基部３２１の移動が規制されるので、チューブクランプ部材３３が押圧解除状態から押圧状態へと不必要に戻ってしまうことを防止できる。
従って、医療用ポンプ１を操作する作業者が、再びチューブクランプ解除レバー３４によりチューブクランプ部材３３を解除する操作が必要なくなり、輸液チューブ２の装着時の作業性を低下させることを防止できる。
【００４６】
本実施形態では、クリップクランプ部材３２に形成された当接部４２と、チューブクランプ解除レバー３４に形成された被当接部４４とを当接させる構成としたため、移動規制機構４０としての移動規制を確実に行うことができる。
【００４７】
本実施形態では、クリップクランプ部材３２、チューブクランプ部材３３およびチューブクランプ解除レバー３４を、それぞれベース部材３１の表面に沿って移動可能に支持し、当接部４２の移動軌跡Ｌ２と被当接部４４の移動軌跡Ｌ４とを交差配置することで、当接部４２と被当接部４４とが当接する構成とすることができる。
そして、チューブクランプ解除レバー３４が、チューブクランプ部材３３によるクリップクランプ部材３２の押圧を解除した状態にあるとき、移動規制機構４０においては、被当接部４４が当接部４２の移動軌跡Ｌ２上に配置することで、所期の移動規制を実現することができる。
【００４８】
本実施形態では、板状のベース部材３１を用い、その片面にクリップクランプ部材３２を配置し、反対側の面にチューブクランプ部材３３およびチューブクランプ解除レバー３４を配置したため、チューブクランプ機能（チューブクランプ部１４）とクリップクランプ機能（クリップクランプ部１５）とを、それぞれ別の表面に振り分けることができ、機械的な空間利用効率を高め、チューブクランプ機構３０としての小型化を図ることができる。
また、クリップクランプ部材３２、チューブクランプ部材３３およびチューブクランプ解除レバー３４を、ベース部材３１に対して回動させるとしたため、これらをベース部材３１に移動可能に支持する構成を簡素かつコンパクトにすることができる。
【００４９】
クリップクランプ部材３２を基部３２１と可動部３２２とに分割し、基部３２１側でクリップクランプ部材３２の基本機能を実現しつつ、クリップクランプ部１５に露出する可動部３２２を可動とすることで、クリップ部材６の収容の操作を容易に行うことができる。また、クリップクランプ部１５で誤って可動部３２２に触れても、その動きを逃がすことができる。
【００５０】
〔他の実施形態〕
本発明は、前述した実施形態に限定されるものではなく、本発明の目的を達成できる範囲での変形などは、本発明に含まれる。
移動規制機構４０は、クリップクランプ部材３２に形成された当接部４２と、チューブクランプ解除レバー３４に形成された被当接部４４とを当接させる構成に限らず、例えば、クリップクランプ部材３２に形成された凸部と、チューブクランプ解除レバー３４に形成された凹部とを係合させる構成、チューブクランプ解除レバー３４の位置を電気的に検出してクリップクランプ部材３２をソレノイドでロックする構成などであってもよい。
【００５１】
前記実施形態では、クリップクランプ部材３２、チューブクランプ部材３３およびチューブクランプ解除レバー３４を、それぞれベース部材３１に対して回動自在に支持したが、例えばガイドレールなどを用いて平行移動させてもよい。あるいは、弾性部材を介してベース部材３１に支持することで、各々のチューブクランプ機能およびクリップクランプ機能に必要な部位が移動可能となる構成としてもよい。
【００５２】
前記実施形態では、クリップクランプ部材３２、チューブクランプ部材３３およびチューブクランプ解除レバー３４を、それぞれベース部材３１の両側に振り分ける構成とした。しかし、本発明は、このような構成に限らず、クリップクランプ部材３２、チューブクランプ部材３３およびチューブクランプ解除レバー３４を、ベース部材３１の片面に集約してもよい。この場合、ベース部材３１は板状に限らず、ブロック状あるいは箱状などであってもよい。さらに、本体１０のケースを利用して、クリップクランプ部材３２、チューブクランプ部材３３およびチューブクランプ解除レバー３４の各々を移動自在に支持するようにしてもよく、この場合、ベース部材３１は省略してよい。
【００５３】
前記実施形態において、クリップクランプ部材３２の基部３２１と可動部３２２とは、回動連結されるものに限らず、弾性部材を介して接続することで相対移動可能としてもよい。さらに、クリップクランプ部材３２を基部３２１と可動部３２２とに分割することは必須ではなく、一体もののクリップクランプ部材３２を用いてもよい。
【産業上の利用可能性】
【００５４】
本発明は、医療用ポンプに利用できる。
【符号の説明】
【００５５】
１…医療用ポンプ、２…輸液チューブ、３…レバー、４…操作部、５…表示部、６…クリップ部材、１０…本体、１１…被覆面、１２…保持部、１３…ポンプ部、１４…チューブクランプ部、１５…クリップ収容部であるクリップクランプ部、２０…開閉カバーであるドア、２１…ヒンジ部、２２…回動軸線、３０…チューブクランプ機構、３１…ベース部材、３１１…第１表面、３１２…第２表面、３１３…開口部、３２…クリップクランプ部材、３２１…基部、３２２…可動部、３２３…軸部材、３２４…軸部材、３２５…ばね部材、３２６…クリップ押圧レバー、３２７…中間部分、３３…チューブクランプ部材、３３１…本体部、３３３…軸部材、３３４…ばね部材、３３５…クリップクランプ押圧レバー、３３６…チューブ押圧レバー、３３７…傾斜部、３３８…ノッチ部、３３９…被係止部、３４…チューブクランプ解除レバー、３４１…本体部、３４３…軸部材、３４４…ばね部材、３４６…操作部、３４８…係合ローラ、３４９…係止部、４０…移動規制機構、４１…当接用開口、４２…当接部、４４…被当接部、Ｌ２…当接部の移動軌跡、Ｌ４…被当接部の移動軌跡。
【図１】
0006644582.tif 000002
【図２】
0006644582.tif 000003
【図３】
0006644582.tif 000004
【図４】
0006644582.tif 000005
【図５】
0006644582.tif 000006
【図６】
0006644582.tif 000007
【図７】
0006644582.tif 000008
【図８】
0006644582.tif 000009